Podtech/llm-jp-corpus-v4-ja_patent huggingface dataset:
【手続補正書】
【提出日】平成25年12月25日(2013.12.25)
【手続補正１】
【補正対象書類名】明細書
【補正対象項目名】０６０７
【補正方法】変更
【補正の内容】
【０６０７】
【表６５】
2013516483.tif 000001
【手続補正２】
【補正対象書類名】特許請求の範囲
【補正対象項目名】全文
【補正方法】変更
【補正の内容】
【特許請求の範囲】
【請求項１】
式１または式１Ａ
【化１】
2013516483.tif 000002
（式中、
Ｅは、
【化２】
2013516483.tif 000003
であり、
式１におけるＹ1、Ｙ2およびＹ3は、
【化３】
2013516483.tif 000004
から選択される環を形成し、ここで、アスタリスクが付されている左に突出する結合は式１におけるＥに結合していると共に、Ｔが付されている右に突出する結合は式１におけるＧに結合しており；
式１ＡにおけるＹ2、Ｘ1およびＸ2は、
【化４】
2013516483.tif 000005
から選択される環を形成し、ここでアスタリスクが付されている左に突出する結合は式１ＡにおけるＥに結合していると共に、Ｔが付されている右に突出する結合は式１ＡにおけるＧに結合しており；
ｎは０から４の整数であり；
Ｒ14は、Ｈ、シアノ、ヒドロキシ、Ｃ1〜Ｃ2アルキルまたはＣ1〜Ｃ2アルコキシであり；
Ｒ23はＨであり；
Ｇは、
【化５】
2013516483.tif 000006
であり、ここで、左に突出する結合は式１または式１ＡにおけるＹ2に結合していると共に、右に突出する結合は式１または式１ＡにおけるＪに結合しており；
Ｒ29aはＨであり；
Ｊは、
【化６】
2013516483.tif 000007
であり、ここで、左に突出するように示されている結合は式１または式１ＡにおけるＧに結合していると共に、Ｊ環における利用可能な炭素原子環員に結合しており；
ｘは１であり；
Ｒ6は-ＺＱであり；
Ｑは、
【化７】
2013516483.tif 000008
から選択され；
各Ｒ6aは、独立して、Ｆ、Ｃｌ、Ｂｒ、ヒドロキシ、シアノ、メチルまたはメトキシであり；
Ｒ6cは、Ｈまたはメチルであり；
ｐは０、１または２であり；
Ａ1はＣＨＲ15であり；
Ｒ15はＨであり；
Ｗ1はＯであり；
Ｒ1aは、
【化８】
2013516483.tif 000009
であり、ここでＲ33は炭素環員に付いており、該Ｒ33はＲ33aから選択され；
ｋは１または２であり、そして
各Ｒ33aは、独立して、ハロゲン、Ｃ1〜Ｃ3アルキル、Ｃ1〜Ｃ3ハロアルキルまたはＣ2〜Ｃ3アルコキシアルキルである）、
そのＮ−オキシドおよび塩、から選択される化合物。
【請求項２】
１−［４−［４−［５−（２，６−ジフルオロフェニル）−４，５−ジヒドロ−３−イソオキサゾリル］−２−チアゾリル］テトラヒドロ−１（２Ｈ）−ピリダジニル］−２−［５−メチル−３−（トリフルオロメチル）−１Ｈ−ピラゾール−１−イル］エタノン、
１−［２−アセチル−４−［４−［５−（２，６−ジフルオロフェニル）−４，５−ジヒドロ−３−イソオキサゾリル］−２−チアゾリル］テトラヒドロ−１（２Ｈ）−ピリダジニル］−２−［５−メチル−３−（トリフルオロメチル）−１Ｈ−ピラゾール−１−イル］エタノン；
１−［５−［４−［５−（２，６−ジフルオロフェニル）−４，５−ジヒドロ−３−イソオキサゾリル］−２−チアゾリル］テトラヒドロ−２Ｈ−１，２−オキサジン−２−イル］−２−［５−メチル−３−トリフルオロメチル）−１Ｈ−ピラゾール−１−イル］エタノン；および
１−［５−［４−［５−（２，６−ジフルオロフェニル）−４，５−ジヒドロ−３−イソオキサゾリル］−２−チアゾリル］ヘキサヒドロピロロ［３，４−ｃ］ピロール−２（１Ｈ）−イル］−２−［５−メチル−３−（トリフルオロメチル）−１Ｈ−ピラゾール−１−イル］エタノン
から選択される請求項１に記載の化合物。
【請求項３】
（ａ）請求項１または２に記載の化合物；および（ｂ）少なくとも１つの他の殺菌剤を含む殺菌組成物。
【請求項４】
（ａ）請求項１または２に記載の化合物；および（ｂ）界面活性剤、固体希釈剤および液体希釈剤からなる群から選択される少なくとも１つの追加の成分；を含む殺菌組成物。
【請求項５】
真菌性植物病原体によって引き起こされる植物病害を防除する方法であって、植物もしくはその一部分に、または植物種子に、殺菌的に有効な量の請求項１または２に記載の化合物を施用するステップを含む、上記方法。
【手続補正書】
【提出日】平成26年1月7日(2014.1.7)
【手続補正１】
【補正対象書類名】特許請求の範囲
【補正対象項目名】全文
【補正方法】変更
【補正の内容】
【特許請求の範囲】
【請求項１】
組成物を哺乳動物の皮膚に適用することによって疼痛を処置するまたは予防する方法における使用のための、デクスメデトミジン（dexmedetomidine）またはその薬学的に許容しうる塩またはプロドラッグを薬学的に許容しうるビヒクル中に含む該組成物であって、ここにおいて、
デクスメデトミジンまたはその薬学的に許容しうる塩またはプロドラッグは、皮膚を介して吸収され且つ鎮静を伴うことなく痛覚脱失を生じる、組成物。
【請求項２】
デクスメデトミジンまたはその薬学的に許容しうる塩の投薬量が、０．０５μｇ／ｋｇ〜１５μｇ／ｋｇであり、そしてここにおいて、前記哺乳動物が、ヒトである、請求項１に記載の使用のための組成物。
【請求項３】
前記哺乳動物が、ヒトであり、そしてデクスメデトミジンまたはその薬学的に許容しうる塩の経皮投薬量が、１００μｇ／ｋｇ〜１５００μｇ／ｋｇであり、適切にはここで前記ヒトの経皮適用〜体循環系中吸収時のデクスメデトミジンの血漿Ｃｍａｘが、０．３０ｎｇ／ｍＬ未満である、請求項２に記載の使用のための組成物。
【請求項４】
請求項２または３に記載の使用のための組成物であって、前記適用工程が、脚、上腕、腹、胸部、鼡径部、頸部、背部および肩の少なくとも一つの皮膚へ前記医薬組成物を局所適用することを含み、適切には前記哺乳動物の前記皮膚へクリーム剤、ローション剤またはゲル剤の医薬組成物を適用することを含み、そして適切には前記哺乳動物の皮膚上への前記医薬組成物の投与後に包帯で皮膚を被覆することを必要としない、請求項２に記載の方法。
【請求項５】
請求項２〜４のいずれか一項に記載の使用のための組成物であって、ここで、前記医薬組成物を適用直後の少なくとも６時間に、ヒトの安静時平均動脈血圧が、２０ｍｍＨｇ以下だけ変動するおよび／または前記ヒトが、覚醒状態のままでいて且つ命令に応答することができ、そして該ヒトが、敏捷で且つ見当識がある、組成物。
【請求項６】
前記デクスメデトミジンまたはその薬学的に許容しうる塩を、一つまたはそれを超える他の鎮痛薬と共投与する、請求項１〜５のいずれか一項に記載の使用のための組成物。
【請求項７】
前記医薬組成物を、前記一つまたはそれを超える他の鎮痛薬によって不適当に制御される破綻疼痛を処置するために間欠的に投与する、請求項６に記載の使用のための組成物。
【請求項８】
請求項２〜７のいずれか一項に記載の使用のための組成物であって、ここで前記疼痛が：
（ａ）特発性疼痛である；または
（ｂ）癌、ウイルス感染、身体的外傷、関節炎、頭痛または腰部痛に関連しているまたはそれによって引き起こされている、
組成物。
【請求項９】
請求項８に記載の使用のための組成物であって、ここで：
（ａ）前記特発性疼痛が、神経痛、筋肉痛、痛覚過敏、ピペルパシー、神経炎およびニューロパシーから成る群より選択される；または
（ｂ）前記身体的外傷が、外科手術、熱傷または鈍的力外傷に関連しているまたはそれによって引き起こされている、
組成物。
【請求項１０】
請求項１〜９のいずれか一項に記載の使用のための組成物であって、ここで該組成物はデクスメデトミジンまたはその薬学的に許容しうる塩またはプロドラッグを含む全身吸収される医薬組成物であって、該哺乳動物において投与時に疼痛を処置するまたは予防する有効量で投与され、ここにおいて、
該医薬組成物は、投与から少なくとも６時間以内に鎮静を伴うことなく鎮痛作用を生じる速度で該哺乳動物の体循環系中に生理学的に活性な量のデクスメデトミジンを与える、
組成物。
【請求項１１】
医薬を哺乳動物の皮膚に適用することによって疼痛を処置するまたは予防するための該医薬の製造におけるデクスメデトミジンまたはその薬学的に許容しうる塩またはプロドラッグの使用であって、ここでデクスメデトミジンまたはその薬学的に許容しうる塩またはプロドラッグは、皮膚を介して吸収され且つ鎮静を伴うことなく痛覚脱失を生じる、使用。
【請求項１２】
鎮痛性医薬組成物であって、デクスメデトミジンまたはその薬学的に許容しうる塩またはプロドラッグを薬学的に許容しうるビヒクル中に含み、哺乳動物の皮膚へ該鎮痛性医薬組成物を適用することによる該哺乳動物への局所投与用に配置され且つ適合されている該医薬組成物。
【請求項１３】
請求項１２に記載の鎮痛性医薬組成物であって、ここで
（ａ）前記鎮痛性医薬組成物が、１日２回以上皮膚へ該組成物を適用することによる、および／または前記哺乳動物の脚、上腕、腹、胸部、鼡径部、頸部、背部および肩の少なくとも一つの皮膚へ該組成物を適用することによる局所投与用に配置され且つ適合されている；および／または
（ｂ）デクスメデトミジンの前記薬学的に許容しうる塩が、デクスメデトミジン塩酸塩であり、そしてここにおいて、前記ビヒクルが、クリーム剤、ゲル剤および懸濁剤の少なくとも一つより選択され、適切にはここで該組成物が哺乳動物の皮膚上への投与後に閉塞または被覆を必要としない；および／または
（ｃ）前記鎮痛性医薬組成物が、計量分配用デバイス中に包装されている、
鎮痛性医薬組成物。
【請求項１４】
疼痛を処置するまたは予防する装置であって、
デクスメデトミジンまたはその薬学的に許容しうる塩またはプロドラッグを薬学的に許容しうるビヒクル中に含む鎮痛性医薬組成物、および
該鎮痛性医薬組成物を含有し且つ計量分配する計量分配用デバイス
を含む該装置。
【請求項１５】
装置が、該装置から哺乳動物の皮膚へ組成物を運搬するために配置され且つ配列されているアプリケーターを包含する、請求項１４に記載の装置。
【手続補正書】
【提出日】平成25年11月19日(2013.11.19)
【手続補正１】
【補正対象書類名】特許請求の範囲
【補正対象項目名】全文
【補正方法】変更
【補正の内容】
【特許請求の範囲】
【請求項１】
金属酸化物シェル内に封入されたコアを有するマイクロカプセルを調製する方法であって：
（ａ）水相中で、少なくとも１種の活性剤と少なくとも１種の相変化材料とを含む油相の乳化によって水中油型エマルジョンを調製する工程であって、前記油相及び水相のうちの少なくとも一方はゾル−ゲル前駆体を含む工程；
（ｂ）前記エマルジョンをマイクロカプセル形成条件に暴露して、それにより前記マイクロカプセルを得る工程
を含む方法。
【請求項２】
前記少なくとも１種の活性剤が、医薬品又は化粧品である請求項１に記載の方法。
【請求項３】
少なくとも１種の金属酸化物ナノ粒子を、工程（ａ）の水中油型エマルジョンの調製前、調製中、又は調製後に、前記水相に加える請求項１に記載の方法。
【請求項４】
前記少なくとも１種の相変化材料を、天然又は合成パラフィン、脂肪族アルコール、脂肪酸、又はそれらの任意の組み合わせから選択する請求項１〜３のいずれか一項に記載の方法。
【請求項５】
工程（ａ）の乳化前、乳化中、又は乳化後に、金属酸化物塩を前記水相に加える工程を更に含む請求項１〜４のいずれか一項に記載の方法。
【請求項６】
高分子剤、二価又は三価の金属塩、多価電解質、及びそれらの混合物から選択される結合又は架橋添加剤を、前記水相に、工程（ａ）の乳化前、乳化中、又は乳化後に加える工程を更に含む請求項１〜５のいずれか一項に記載の方法。
【請求項７】
前記マイクロカプセルが、室温で、約２週間〜２年間安定である請求項１〜６のいずれか一項に記載の方法。
【請求項８】
前記少なくとも１種の活性剤と少なくとも１種の相変化材料とを封入している前記マイクロカプセルが、約３００ｃＰ〜約１，０００，０００ｃＰの粘度を有する請求項１〜７のいずれか一項に記載の方法。
【請求項９】
請求項１〜８のいずれか一項に記載の方法によって得ることができるマイクロカプセル。
【請求項１０】
金属酸化物シェルによって封入されたコアを含むマイクロカプセルであって、前記コアが、約３００ｃＰ〜約１，０００，０００ｃＰの粘度を有し、且つ、少なくとも１種の活性剤と少なくとも１種の相変化材料とを含み；前記金属酸化物シェルの厚さが、０．１〜１０ミクロンの範囲にあり；そして、前記シェルが、（ａ）金属酸化物ナノ粒子、及び（ｂ）加水分解され、且つ重合されたゾル−ゲル前駆体から得られる、マイクロカプセル。
【請求項１１】
前記少なくとも１種の相変化材料を、天然又は合成パラフィン、脂肪族アルコール、脂肪酸、又はそれらの任意の組み合わせから選択する請求項１０に記載のマイクロカプセル。
【請求項１２】
前記少なくとも１種の活性剤を、医薬品、化粧品及び農薬から選択する請求項１０又は１１に記載のマイクロカプセル。
【請求項１３】
室温で、約２週間〜２年間安定であることができる請求項１０〜１２のいずれか一項に記載のマイクロカプセル。
【請求項１４】
請求項１０〜１３のいずれか一項に記載のマイクロカプセルを含む組成物。
【請求項１５】
座瘡、乾癬、脂漏症、接触性皮膚炎、感染、酒さ、炎症、及びそれらの組み合わせから選択される疾患、障害又は状態を治療するための、請求項１０〜１３に記載のマイクロカプセルを含有する、局所投与用医薬組成物。
【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
治療化合物バンデタニブを含む、患者の体重および／または体脂肪を減少させる剤。
【請求項２】
ダサチニブ、タネスピマイシン、Ｓ−１７０９２、およびソラフェニブから選択される治療化合物を含む、患者の体重および／または体脂肪を減少させる剤。
【請求項３】
リントプリド、フェノプロフェン、スルファフェナゾール、フルチカゾン、ロリプラム、フェブキソスタット、およびベラパミルから選択される治療化合物を含む、患者の体重および／または体脂肪を減少させる剤。
【請求項４】
遺伝子ＣＧ９４３８またはそのオルソログ（特に、ヒトのオルソログＣＹＰ３Ａ４）の修飾因子から選択される治療化合物であり、エルロチニブ、ゲフィチニブおよびラパチニブから選択される化合物を含む、患者の体重および／または体脂肪を減少させる剤。
【請求項５】
遺伝子ＣＧ８２２２またはそのオルソログ（特に、ヒトのオルソログＫＤＲ）の修飾因子から選択される治療化合物であり、アキシチニブ、パゾパニブおよびセマクサニブから選択される化合物を含む、患者の体重および／または体脂肪を減少させる剤。
【請求項６】
遺伝子ＣＧ６９１９またはそのオルソログ（特に、ヒトのオルソログＨＴＲ４）の修飾因子から選択される治療化合物であり、シサプリド、モサプリド、ピボセロド、プルカロプリド、レンザプリド、テガセロッド、トロピセトロンおよびザコプリドから選択される化合物を含む、患者の体重および／または体脂肪を減少させる剤。
【請求項７】
表１の治療化合物の１つまたはそれ以上、好ましくは請求項１〜６のいずれか一つの化合物の１つまたはそれ以上を組み合わせた化合物を含む、請求項１〜６のいずれか一つの剤。
【請求項８】
患者の肥満症治療に用いるための、請求項１〜７のいずれか一つの剤。
【請求項９】
患者が、少なくとも３５の肥満度指数（ＢＭＩ）、好ましくは少なくとも４０のＢＭＩである、重篤な肥満症に羅患していることを特徴とする、請求項８の剤。
【請求項１０】
化合物が、治療上の有効量を含む、請求項１〜９のいずれか一つの剤。
【請求項１１】
化合物が、局所的、経腸的または非経口的投与され、特に好ましくは、経口的または直腸的、静脈内、動脈内、筋肉内、皮下、皮内または腹腔内、経皮、経粘膜的または吸入性投与されることを特徴とする、請求項１〜１０のいずれか一つの剤。
【請求項１２】
患者が、哺乳類、好ましくはヒトであることを特徴とする、請求項１〜１１のいずれか一つの剤。
【請求項１３】
化合物またはアンタゴニストが、薬物中に含まれて提供されることを特徴とする、請求項１〜１２のいずれか一つの剤。
【請求項１４】
化合物またはアンタゴニストが、医薬的に許容される担体または緩衝剤と一緒に提供されることを特徴とする、請求項１〜１３のいずれか一つの剤。
【請求項１５】
化合物が、０.０１ｍｇ／ｋｇから１ｇ／ｋｇの間の用量で投与されることを特徴とする、請求項１〜１４のいずれか一つの剤。
【請求項１６】
請求項１〜６のいずれか一つの治療化合物が、患者の体重および／または体脂肪の減少または肥満症の治療において、唯一の活性な治療化合物として含まれる、請求項１〜１５のいずれか一つの剤。
【請求項１７】
患者の体重および／または体脂肪を減少させるかあるいは肥満症を治療または予防するための治療投与薬物の製造における、請求項１〜６のいずれか一つ、好ましくは請求項７〜１６のいずれか一つの化合物の使用。
【手続補正書】
【提出日】平成25年12月20日(2013.12.20)
【手続補正１】
【補正対象書類名】特許請求の範囲
【補正対象項目名】全文
【補正方法】変更
【補正の内容】
【特許請求の範囲】
【請求項１】
気道のウイルス感染による炎症を治療又は予防するための組成物であって、
ａ）古典的補体経路、代替補体経路及びレクチン補体経路を阻害し、及び／又は
ｂ）エイコサノイド活性を阻害する、
治療有効量又は予防有効量の剤を含む前記組成物。
【請求項２】
剤は補体Ｃ５と結合する、請求項１に記載の組成物。
【請求項３】
剤は、Ｃ５転換酵素によって補体Ｃ５が補体Ｃ５ａと補体Ｃ５ｂ〜９（ＭＡＣ）へ切断されることを阻害する、請求項２に記載の組成物。
【請求項４】
剤はＬＴＢ４と結合する、請求項１〜３のいずれか１項に記載の組成物。
【請求項５】
剤は吸血性節足動物に由来する、請求項１〜４のいずれか１項に記載の組成物。
【請求項６】
剤は、図２のアミノ酸配列のアミノ酸１９〜１６８を含むか又は該アミノ酸で構成されるタンパク質、又はこのタンパク質の機能等価物である、請求項１〜５のいずれか１項に記載の組成物。
【請求項７】
剤は、図２のアミノ酸配列のアミノ酸１〜１６８を含むか又は該アミノ酸で構成されるタンパク質、又はこのタンパク質の機能等価物である、請求項１〜６のいずれか１項に記載の組成物。
【請求項８】
剤は、請求項６又は７に記載のタンパク質をコードする核酸分子である、請求項１〜７のいずれか１項に記載の組成物。
【請求項９】
核酸分子は、図２のヌクレオチド配列の塩基５３〜５０７を含むか又は該塩基で構成される、請求項８に記載の組成物。
【請求項１０】
核酸分子は、図２のヌクレオチド配列の塩基１〜５０７を含むか又は該塩基で構成される、請求項９に記載の組成物。
【請求項１１】
対象は哺乳動物であり、好ましくはヒトである、請求項１〜１０のいずれか１項に記載の組成物。
【請求項１２】
剤は、対象内で可能な限り多量の有効Ｃ５及び／又はＬＴＢ４（より好ましくは有効Ｃ５全量）と結合するのに十分な用量で投与する、請求項４〜１１のいずれか１項に記載の組成物。
【請求項１３】
気道のウイルス感染による炎症は、急性肺傷害や急性呼吸促迫症候群等の呼吸不全、又は多臓器不全等の呼吸不全の続発症である、請求項１〜１２のいずれか１項に記載の組成物。
【請求項１４】
ウイルス感染は、インフルエンザＡＨ５Ｎ１（トリインフルエンザ）やインフルエンザＡＨ１Ｎ１（ブタインフルエンザ）等の汎発流行性インフルエンザウイルスやＳＡＲＳコロナウイルス等の上気道又は下気道の感染である、請求項１〜１３のいずれか１項に記載の組成物。
【手続補正２】
【補正対象書類名】明細書
【補正対象項目名】００７３
【補正方法】変更
【補正の内容】
【００７３】
方法
実施例１で上述したようにＢａｌｂＣマウスの感染及び処理を行った。
【手続補正３】
【補正対象書類名】明細書
【補正対象項目名】００７４
【補正方法】変更
【補正の内容】
【００７４】
ＢＡＬＦ中のＣ５ａレベルの測定は、偽接種マウスでは  日目、ヒトＨ１Ｎ１ウイルスの亜致死量（１０4ＰＦＵ）に曝露したマウスでは１日目、４日目、７日目及び１０日目、ヒトＨ１Ｎ１ウイルスの致死量（１０6ＰＦＵ）に曝露したマウスでは１日目、３日目及び５日目に行った。
【手続補正書】
【提出日】平成25年12月27日(2013.12.27)
【手続補正１】
【補正対象書類名】特許請求の範囲
【補正対象項目名】全文
【補正方法】変更
【補正の内容】
【特許請求の範囲】
【請求項１】
式（Ｉ）の構造を有する化合物：
【化１】
2013516480.tif 000001
または、その立体異性体、互変異性体、あるいは、薬学的に許容可能な塩を有し、
Ｘは−Ｓ−、−Ｎ（Ｈ）−、または、−Ｎ（Ｒ１）−であり、
Ｙは、ハロゲン、Ｃ１−Ｃ３アルキル、−ＣＮ、または、−ＣＦ３であり、
ｎは０、１、または２であり、
Ｇ１は、水素、ハロゲン、Ｃ１−Ｃ３アルキル、−ＣＮ、−ＣＦ３であり、
Ｇ２は、水素、ハロゲン、Ｃ１−Ｃ３アルキル、−ＣＮ、または、−ＣＦ３であり、ここで、Ｇ１およびＧ２は、両方とも同時に水素ではなく、
Ｒ１は、ＨまたはＣ１−Ｃ３アルキルであり、
Ｒ２は、ハロゲン、−ＣＮ、アルキル、アリール、−Ｏ−アリール、−Ｏ−ヘテロアリール、−ＣＨ２−アリール、−ＣＨ２−ヘテロアリール、−ＮＨ−アリール、−ＳＯ２−アリール、−ＮＨ−ヘテロアリール、−ＮＨ−アルキル、−ＣＨ２−ＮＨ−アルキル、−ＣＨ２−Ｎ（アルキル）２、−ＣＨ２−（Ｎ結合型複素環）、−ＣＨ２−（Ｃ結合型複素環）、Ｎ結合型複素環、または、Ｃ結合型複素環であり、
Ｒ４は、アルコキシ、−ＣＮ、−ＳＯ２−アルキル、−ＳＯ２ＮＨ２、−ＮＨＳＯ２−アルキル、−ＮＨＳＯ２−アリール、−ＮＨＣＯ−アルキル、−ＮＨＣＯ−アリール、−ＮＨＣＯＮＨ−アルキル、−ＮＨＣＯＮＨ−アリール、−ＣＯＮＨ２、−ＣＯＮＨ−アルキル、−ＣＯＮＨ−アリール、−ＣＯＮ（アルキル）２、−ＣＯＮ（アリール）２、−ＣＯ２Ｈ、または、−ＣＯ２アルキルであり、および、
Ｒ３、Ｒ５、および、Ｒ６は各々、独立して、水素、ハロゲン、−ＣＮ、アルキル、アリール、ヘテロアリール、Ｃ結合型複素環、−Ｏ−アルキル、−Ｏ−アリール、−Ｏ−ヘテロアリール、Ｎ結合型複素環、−ＮＨ−アルキル、−Ｎ（アルキル）２、−ＮＨ−アリール、−ＮＨヘテロアリール、−ＣＯ２Ｈ、−ＣＯ２アルキル、−ＳＯ２アルキル、−ＳＯ２ＮＨ２、−ＳＯ２ＮＨアルキル、−ＳＯ２Ｎ（アルキル）２、−ＮＨＳＯ２アルキル、−ＮＨＳＯ２アリール、−ＮＨＣＯＮＨ−アルキル、−ＮＨＣＯＮ（アルキル）２、−Ｎ（アルキル）ＣＯＮＨ２、−Ｎ（アルキル）ＣＯＮＨ（アルキル）、または、−Ｎ（アルキル）ＣＯＮ（アルキル）２であり、
Ｒ７は、ＨまたはＣ１−Ｃ３アルキルであることを特徴とする化合物。
【請求項２】
ｎが０であることを特徴とする請求項１に記載の化合物。
【請求項３】
ｎが１であることを特徴とする請求項１に記載の化合物。
【請求項４】
Ｇ２がＨであることを特徴とする請求項１に記載の化合物。
【請求項５】
Ｇ２がＨで、Ｇ１がＣ１−Ｃ３アルキルであることを特徴とする請求項１に記載の化合物。
【請求項６】
Ｘが−Ｓ−であることを特徴とする請求項１に記載の化合物。
【請求項７】
Ｒ２が−ＣＨ２−ＮＨ−アルキル、−ＣＨ２−Ｎ（アルキル）２、−ＣＨ２−（Ｎ結合型複素環）、または、−ＣＨ２−（Ｃ結合型複素環）であることを特徴とする請求項１に記載の化合物。
【請求項８】
Ｒ２がハロゲン、−ＣＮ、または−アルキルであることを特徴とする請求項１に記載の化合物。
【請求項９】
Ｒ４が−ＳＯ２Ｍｅまたは−ＯＭｅであることを特徴とする請求項１に記載の化合物。
【請求項１０】
Ｒ２がハロゲンで、Ｒ４が−ＳＯ２Ｍｅであることを特徴とする請求項１に記載の化合物。
【請求項１１】
Ｒ２がハロゲンで、Ｒ４が−ＯＭｅであることを特徴とする請求項１に記載の化合物。
【請求項１２】
ｎが０であり、Ｇ２がＨであり、Ｇ１がＣ１−Ｃ３アルキルであり、Ｘが−Ｓ−であり、Ｒ２がハロゲンであり、Ｒ４が−ＯＭｅであることを特徴とする請求項１に記載の化合物。
【請求項１３】
ｎが０であり、Ｇ２がＨであり、Ｇ１がＣ１−Ｃ３アルキルであり、Ｘが−Ｓ−であり、Ｒ２がハロゲンであり、Ｒ４が−ＳＯ２Ｍｅであることを特徴とする請求項１に記載の化合物。
【請求項１４】
請求項１乃至１３のいずれか１項に記載の化合物、および少なくとも１つの薬学的に許容可能な賦形剤を含む医薬組成物。
【請求項１５】
請求項１乃至１３のいずれか１項に記載の阻害濃度の化合物を細胞と接触させる工程を含む、細胞内のヘッジホッグ経路を阻害するインビトロでの方法。
【請求項１６】
ヘッジホッグ経路によって媒介されるヒトの疾患または障害を処置するための医薬の製造における、請求項１乃至１３のいずれか１項に記載の化合物の使用。
【請求項１７】
疾患または障害が増殖性疾患であることを特徴とする請求項１６に記載の使用。
【請求項１８】
増殖性疾患が結腸癌、肺癌、膵臓癌、胃癌、前立腺癌、または肝細胞癌であることを特徴とする、請求項１７に記載の使用または請求項１７に記載の使用のための化合物。
【請求項１９】
増殖性疾患が、基底細胞癌、乳癌、骨肉腫、軟部組織肉腫、慢性骨髄白血病、急性骨髄白血病、血液癌、髄芽腫、横紋筋肉腫、神経芽細胞腫、膵臓癌、乳癌、髄膜腫、膠芽腫、星細胞腫、メラノーマ、胃癌、食道癌、胆道癌、前立腺癌、小細胞肺癌、非小細胞肺癌、膠細胞癌、多発性骨髄腫、結腸癌、神経外胚葉性腫瘍、神経内分泌腫瘍、肥満細胞腫、および、ゴーリン症候群であることを特徴とする、請求項１７に記載の使用または請求項１７に記載の使用のための化合物。
【請求項２０】
増殖性疾患が基底細胞癌であることを特徴とする、請求項１７に記載の使用または請求項１７に記載の使用のための化合物。
【手続補正書】
【提出日】平成25年12月26日(2013.12.26)
【手続補正１】
【補正対象書類名】特許請求の範囲
【補正対象項目名】全文
【補正方法】変更
【補正の内容】
【特許請求の範囲】
【請求項１】
少なくとも１種類のフラジェリンの少なくとも一部と、少なくとも１種類の抗原の少なくとも一部とを含む融合タンパク質を含む医薬組成物であって、該組成物は約０．５μｇを超える用量で前記人間に投与され、前記人間は少なくとも４９才である、人間における免疫応答を刺激するための医薬組成物。
【請求項２】
前記人間は４９才と約６４才との間の年齢である、請求項１に記載の組成物。
【請求項３】
前記人間は少なくとも６５才の年齢である、請求項１に記載の組成物。
【請求項４】
前記用量は、０．５μｇ、１μｇ、２μｇ、３μｇ、４μｇ、５μｇ、６μｇ、７μｇ、８μｇ、１０μｇ、１５μｇ、２０μｇ、２５μｇ及び３０μｇからなる群より選択される少なくとも１種類の用量である、請求項１に記載の組成物。
【請求項５】
前記抗原はインフルエンザ抗原である、請求項１に記載の組成物。
【請求項６】
前記インフルエンザ抗原はヘマグルチニンインフルエンザ抗原である、請求項５に記載の組成物。
【請求項７】
前記融合タンパク質は配列番号１を含む、請求項１に記載の組成物。
【請求項８】
少なくとも１種類のフラジェリンの少なくとも一部と、少なくとも１種類の抗原の少なくとも一部とを含む融合タンパク質を含む、高齢者集団における免疫応答を刺激するための医薬組成物であって、抗体応答率が少なくとも７５％であり、前記組成物が投与される高齢者集団の人間は少なくとも４９才である、組成物。
【請求項９】
少なくとも１種類のフラジェリンの少なくとも一部と、粒子と会合する、少なくとも１種類の抗原の少なくとも一部とを含む、人間における免疫応答を刺激するための医薬組成物であって、前記組成物が投与される前記人間は少なくとも４９才である、組成物。
【請求項１０】
前記粒子は、ビロソーム、リポソーム、生分解性マイクロスフィア、自己集合性ペプチドナノ粒子、ウイルス様粒子又はこれらの組合せである、請求項９に記載の組成物。
【請求項１１】
高齢者集団における免疫応答を刺激するための医薬組成物であって、少なくとも３μｇの配列番号１を含み、前記組成物の前記高齢者集団への投与によって生じる免疫応答は、
抗体陽転率が、５０％を超えるか、６０％を超えるか、７０％を超えるか、８０％を超えるか、９０％を超えるか、９５％を超えるか、９９％を超えるかであること、
抗体保持率が、５０％を超えるか、６０％を超えるか、７０％を超えるか、８０％を超えるか、９０％を超えるか、９５％を超えるか、９９％を超えるかであること、又は、
ワクチン接種後の中和抗体力価が平均４倍以上上昇することの基準のうち１つに該当するか、あるいは、超える、組成物。
【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
大うつ病性障害に罹患している、過体重または肥満である患者に減量療法を提供するための使用のためのナルトレキソンまたは薬学的に許容されるその塩およびブプロピオンまたは薬学的に許容されるその塩の組み合わせを含む組成物であって、
ナルトレキソンまたは薬学的に許容されるその塩がブプロピオンまたは薬学的に許容されるその塩の減量活性を高めるのに有効な量である組成物。
【請求項２】
患者においてうつ病の症状を軽減させるためのさらなる使用のための、請求項1に記載の組成物。
【請求項３】
患者が双極性障害に罹患していない、請求項1に記載の組成物。
【請求項４】
減量を誘導する組合せが、1日あたり少なくとも1回、かつ少なくとも12週間または少なくとも24週間投与される、請求項1に記載の組成物。
【請求項５】
ナルトレキソンまたは薬学的に許容されるその塩が、ブプロピオンまたは薬学的に許容されるその塩の前または後に投与される、請求項1に記載の組成物。
【請求項６】
ナルトレキソンまたは薬学的に許容されるその塩とブプロピオンまたは薬学的に許容されるその塩とが、単一の経口剤形中にある、請求項1に記載の組成物。
【請求項７】
単一の経口剤形が、薬学的に許容される添加剤、賦形剤、または担体をさらに含有する、請求項6に記載の組成物。
【請求項８】
ナルトレキソンまたは薬学的に許容されるその塩の量が、1日あたり4mgから50mgである、請求項1に記載の組成物。
【請求項９】
ブプロピオンまたは薬学的に許容されるその塩の量が、1日あたり30mgから500mgである、請求項1に記載の組成物。
【請求項１０】
ナルトレキソンまたは薬学的に許容されるその塩の量が、1日あたり4mgから50mgであり、かつブプロピオンまたは薬学的に許容されるその塩の量が、1日あたり30mgから500mgである、請求項1に記載の組成物。
【請求項１１】
ナルトレキソンまたは薬学的に許容されるその塩の量が、1日あたり16mgまたは32mgであり、かつブプロピオンまたは薬学的に許容されるその塩の量が、1日あたり360mgである、請求項1に記載の組成物。
【請求項１２】
患者に投与される初期日用量が、ナルトレキソンまたは薬学的に許容されるその塩4mgまたは8mgとブプロピオンまたは薬学的に許容されるその塩90mgとであり、患者に維持のために投与される日用量が、ナルトレキソンまたは薬学的に許容されるその塩16mgまたは32mgとブプロピオンまたは薬学的に許容されるその塩360mgとである、請求項1に記載の組成物。
【請求項１３】
ナルトレキソンまたは薬学的に許容されるその塩の日用量が、1週目4mgから2週目8mg、3週目12mg、4週目およびそれ以降16mg、ならびに、1週目8mgから2週目16mg、3週目24mg、4週目およびそれ以降32mgからなる群から選択される投与スケジュールであって、かつブプロピオンまたは薬学的に許容されるその塩の日用量が、1週目90mgから2週目180mg、3週目270mg、4週目およびそれ以降360mgまで漸増される、請求項1に記載の組成物。
【請求項１４】
ナルトレキソンまたは薬学的に許容されるその塩とブプロピオンまたは薬学的に許容されるその塩のうちの少なくとも一方が持続放出製剤である、請求項1に記載の組成物。
【請求項１５】
大うつ病性障害に罹患している、過体重または肥満である患者に減量療法を提供するための使用のための、ナルトレキソンまたは薬学的に許容されるその塩とブプロピオンまたは薬学的に許容されるその塩とを含む組成物であって、
ナルトレキソンまたは薬学的に許容されるその塩の量が1日あたり32mgであり、ブプロピオンまたは薬学的に許容されるその塩の量が1日あたり360mgであり、
かつナルトレキソンまたは薬学的に許容されるその塩とブプロピオンまたは薬学的に許容されるその塩のそれぞれが持続放出製剤である、組成物。
【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
少なくとも約９５重量％の総ＫＴＩタンパク質濃度を有する、Ｋｕｎｉｔｚトリプシンインヒビター（ＫＴＩ）生成物。
【請求項２】
ＫＴＩタンパク質が、配列番号１と少なくとも８０％同一である少なくとも１つのアミノ酸配列を含んでなる、Ｋｕｎｉｔｚトリプシンインヒビター（ＫＴＩ）生成物。
【請求項３】
少なくとも約７０重量％の総ＫＴＩタンパク質濃度を有し、前記ＫＴＩタンパク質が配列番号１と少なくとも８０％同一であるアミノ酸配列を含んでなる、Ｋｕｎｉｔｚトリプシンインヒビター（ＫＴＩ）生成物。
【請求項４】
乾燥重量基準で少なくとも約９５％の総タンパク質含量、少なくとも約１５００トリプシン阻害単位／ｇタンパク質のトリプシン阻害物質活性を有する、Ｋｕｎｉｔｚトリプシンインヒビター（ＫＴＩ）生成物。
【請求項５】
ＫＴＩタンパク質が配列番号１と少なくとも８０％同一であるアミノ酸配列を含んでなり、さらにＫＴＩ生成物が、
（ｉ）乾燥重量基準で少なくとも約９５％の総タンパク質含量；
（ｉｉ）少なくとも約１５００トリプシン阻害単位／ｇタンパク質のトリプシン阻害物質活性；および／または
（ｉｉｉ）約０．５内毒素単位／ｇタンパク質以下の総内毒素含量
の諸特性１つ以上を示す、少なくとも約９５重量％ＫＴＩタンパク質の総ＫＴＩタンパク質濃度を有する、Ｋｕｎｉｔｚトリプシンインヒビター（ＫＴＩ）生成物。
【手続補正２】
【補正対象書類名】明細書
【補正対象項目名】０１３４
【補正方法】変更
【補正の内容】
【０１３４】
本明細書に例証的に記載される本開示は、適切には、本明細書で具体的に開示されないあらゆる要素または要素群、制限または制限群の不在下で実施されてもよい。したがって例えば本明細書の各場合において、「ｃｏｍｐｒｉｓｉｎｇ」、「ｃｏｎｓｉｓｔｉｎｇｅｓｓｅｎｔｉａｌｌｙ  ｏｆ」、および「ｃｏｎｓｉｓｔｉｎｇ  ｏｆ」の何れかは、他の２つのどちらかの用語で置き換えてもよい。用いられた用語および表現は、限定でなく説明の用語として使用され、このような用語および表現の使用において、示され記載される徴群のいかなる同等物もまたはその一部も排除することは意図されず、本開示が特許請求する範囲内で、様々な修正が可能であることが認識される。したがって本開示は、好ましい実施形態と任意の徴群によって具体的に開示されているが、本明細書で開示される概念の修正形態およびバリエーションが、当業者によって用いられてもよいものと理解すべきである。このような修正および変更は、添付の特許請求の範囲によって定義される、本発明の範囲内であると見なされる。
次に、本発明の態様を示す。
１.  少なくとも約９５重量％の総ＫＴＩタンパク質濃度を有する、Ｋｕｎｉｔｚトリプシンインヒビター（ＫＴＩ）生成物。
２.  前記ＫＴＩタンパク質が、配列番号１と少なくとも８５％同一であるアミノ酸配列をさらに含んでなる、上記１に記載のＫＴＩ生成物。
３.  前記ＫＴＩタンパク質が、配列番号１と少なくとも９０％同一であるアミノ酸配列をさらに含んでなる、上記１に記載のＫＴＩ生成物。
４.  前記ＫＴＩタンパク質が、配列番号１と少なくとも９５％同一であるアミノ酸配列をさらに含んでなる、上記１に記載のＫＴＩ生成物。
５.  乾燥重量基準で少なくとも約９５％の総タンパク質含量をさらに含んでなる、上記１に記載のＫＴＩ生成物。
６.  少なくとも約１５００トリプシン阻害単位／ｇタンパク質のトリプシン阻害物質活性をさらに示す、上記１に記載のＫＴＩ生成物。
７.  約０．５内毒素単位／ｇタンパク質以下の総内毒素含量をさらに含んでなる、上記１に記載のＫＴＩ生成物。
８.  前記ＫＴＩタンパク質が、配列番号１と少なくとも８０％同一である少なくとも１つのアミノ酸配列を含んでなる、Ｋｕｎｉｔｚトリプシンインヒビター（ＫＴＩ）生成物。
９.  前記ＫＴＩタンパク質が、配列番号１と少なくとも８５％同一であるアミノ酸配列を含んでなる、上記１１に記載のＫＴＩ生成物。
１０.  前記ＫＴＩタンパク質が、配列番号１と少なくとも９０％同一であるアミノ酸配列を含んでなる、上記１１に記載のＫＴＩ生成物。
１１.  前記ＫＴＩタンパク質が、配列番号１と少なくとも９５％同一であるアミノ酸配列を含んでなる、上記１１に記載のＫＴＩ生成物。
１２.  少なくとも約７０重量％の総ＫＴＩタンパク質濃度を有し、前記ＫＴＩタンパク質が配列番号１と少なくとも８０％同一であるアミノ酸配列を含んでなる、Ｋｕｎｉｔｚトリプシンインヒビター（ＫＴＩ）生成物。
１３.  乾燥重量基準で少なくとも約９５％の総タンパク質含量、少なくとも約１５００トリプシン阻害単位／ｇタンパク質のトリプシン阻害物質活性を有する、Ｋｕｎｉｔｚトリプシンインヒビター（ＫＴＩ）生成物。
１４.  約０．５内毒素単位／ｇタンパク質以下の総内毒素含量をさらに含んでなる、上記１６に記載のＫＴＩ生成物。
１５.  ＫＴＩタンパク質が配列番号１と少なくとも８０％同一であるアミノ酸配列を含んでなり、さらにＫＴＩ生成物が、
（ｉ）乾燥重量基準で少なくとも約９５％の総タンパク質含量；
（ｉｉ）少なくとも約１５００トリプシン阻害単位／ｇタンパク質のトリプシン阻害物質活性；および／または
（ｉｉｉ）約０．５内毒素単位／ｇタンパク質以下の総内毒素含量
の諸特性１つ以上を示す、少なくとも約９５重量％ＫＴＩタンパク質の総ＫＴＩタンパク質濃度を有する、Ｋｕｎｉｔｚトリプシンインヒビター（ＫＴＩ）生成物。
【手続補正書】
【提出日】平成25年12月27日(2013.12.27)
【手続補正１】
【補正対象書類名】特許請求の範囲
【補正対象項目名】全文
【補正方法】変更
【補正の内容】
【特許請求の範囲】
【請求項１】
大豆タンパク質加工ストリームを少なくとも１つの分離操作に通過させて、精製ＫＴＩタンパク質ストリームを単離するステップを含む、少なくとも９５重量％の総ＫＴＩタンパク質濃度を有するＫＴＩ生成物を分離し精製する方法。
【請求項２】
少なくとも９５重量％の総ＫＴＩタンパク質濃度を有するＫＴＩ生成物を分離し精製する方法であって、
（ａ）大豆タンパク質と、大豆貯蔵タンパク質、微生物、ミネラル、および糖類からなる不純物とを含有する大豆加工ストリームを、少なくとも１つの分離技術に通過させて、前記大豆タンパク質を含んでなる第１の透過液、および前記不純物を含んでなる第１の残余分を形成するステップと；
（ｂ）前記第１の透過液を少なくとも１つの分離操作に通過させて、不純物を含んでなる第２の透過液、および大量のタンパク質留分を含んでなる第２の残余分を形成するステップと；
（ｃ）少なくとも１つの分離操作に通過させるために、前記第２の残余分をキャリアストリームと合わせて、前記加工ストリーム中の他のタンパク質からＫＴＩタンパク質ストリームを単離して、部分的に精製されたＫＴＩ生成物を形成するステップと；
（ｄ）前記部分的に精製されたＫＴＩ生成物を少なくとも１つのクロマトグラフ分離操作に通過させ、少なくとも９５重量％の総ＫＴＩタンパク質濃度を有する精製ＫＴＩ生成物が形成するステップと
を含む、方法。
【手続補正２】
【補正対象書類名】明細書
【補正対象項目名】０１３２
【補正方法】変更
【補正の内容】
【０１３２】
本明細書に例証的に記載される本開示は、適切には、本明細書で具体的に開示されないあらゆる要素または要素群、制限または制限群の不在下で実施されてもよい。したがって例えば本明細書の各場合において、「ｃｏｍｐｒｉｓｉｎｇ」、「ｃｏｎｓｉｓｔｉｎｇｅｓｓｅｎｔｉａｌｌｙ  ｏｆ」、および「ｃｏｎｓｉｓｔｉｎｇ  ｏｆ」の何れかは、他の２つのどちらかの用語で置き換えてもよい。用いられた用語および表現は、限定でなく説明の用語として使用され、このような用語および表現の使用において、示され記載される徴群のいかなる同等物もまたはその一部も排除することは意図されず、本開示が特許請求する範囲内で、様々な修正が可能であることが認識される。したがって本開示は、好ましい実施形態と任意の徴群によって具体的に開示されているが、本明細書で開示される概念の修正形態およびバリエーションが、当業者によって用いられてもよいものと理解すべきである。このような修正および変更は、添付の特許請求の範囲によって定義される、本発明の範囲内であると見なされる。
次に、本発明の態様を示す。
１.  大豆タンパク質加工ストリームを少なくとも１つの分離操作に通過させて、精製ＫＴＩタンパク質ストリームを単離するステップを含む、少なくとも９５重量％の総ＫＴＩタンパク質濃度を有するＫＴＩ生成物を分離し精製する方法。
２.  前記少なくとも１つの分離操作が、膜分離、クロマトグラフ分離、電気泳動、透析、微粒子濾過、沈殿、遠心分離、結晶化、重力分離、およびあらゆるその組み合わせからなる群から選択される、上記１に記載の方法。
３.  前記少なくとも１つの分離操作が膜分離である、上記１に記載の方法。
４.  前記大豆加工ストリームを少なくとも約１リットル流体／時間−ｍ2の体積流量で少なくとも１つの分離膜に通過させる、上記３に記載の方法。
５.  前記体積流量が約１〜約１５０リットル流体／時間−ｍ2である、上記４に記載の方法。
６.  前記大豆加工ストリームを約０℃〜約１００℃の温度で、前記少なくとも１つの分離膜に通過させる、上記４に記載の方法。
７.  前記大豆加工ストリームを約２５℃〜約７５℃の温度で、前記少なくとも１つの分離膜に通過させる、上記４に記載の方法。
８.  前記少なくとも１つの分離膜が、前記大豆加工ストリームから不純物を除去するための精密濾過膜を含んでなる、上記４に記載の方法。
９.  前記精密濾過膜の孔径が約０．１μｍ〜約２０μｍである、上記８に記載の方法。
１０.  前記少なくとも１つの分離操作が、クロマトグラフ分離をさらに含んでなる、上記３に記載の方法。
１１.  前記クロマトグラフ分離がイオン交換クロマトグラフィーおよび親和性クロマトグラフィーである、上記１０に記載の方法。
１２.  前記精製ＫＴＩ生成物が、配列番号１と少なくとも８０％同一であるアミノ酸配列を含んでなる、上記１に記載の方法。
１３.  前記精製ＫＴＩ生成物が、配列番号１と少なくとも８５％同一であるアミノ酸配列を含んでなる、上記１に記載の方法。
１４.  前記精製ＫＴＩ生成物が、配列番号１と少なくとも９０％同一であるアミノ酸配列を含んでなる、上記１に記載の方法。
１５.  前記精製ＫＴＩ生成物が、配列番号１と少なくとも９５％同一であるアミノ酸配列を含んでなる、上記１に記載の方法。
１６.  少なくとも９５重量％の総ＫＴＩタンパク質濃度を有するＫＴＩ生成物を分離し精製する方法であって、
（ａ）大豆タンパク質と、大豆貯蔵タンパク質、微生物、ミネラル、および糖類からなる不純物とを含有する大豆加工ストリームを、少なくとも１つの分離技術に通過させて、前記大豆タンパク質を含んでなる第１の透過液、および前記不純物を含んでなる第１の残余分を形成するステップと；
（ｂ）前記第１の透過液を少なくとも１つの分離操作に通過させて、不純物を含んでなる第２の透過液、および大量のタンパク質留分を含んでなる第２の残余分を形成するステップと；
（ｃ）少なくとも１つの分離操作に通過させるために、前記第２の残余分をキャリアストリームと合わせて、前記加工ストリーム中の他のタンパク質からＫＴＩタンパク質ストリームを単離して、部分的に精製されたＫＴＩ生成物を形成するステップと；
（ｄ）前記部分的に精製されたＫＴＩ生成物を少なくとも１つのクロマトグラフ分離操作に通過させ、少なくとも９５重量％の総ＫＴＩタンパク質濃度を有する精製ＫＴＩ生成物が形成するステップと
を含む、方法。
【手続補正書】
【提出日】平成25年12月20日(2013.12.20)
【手続補正１】
【補正対象書類名】特許請求の範囲
【補正対象項目名】全文
【補正方法】変更
【補正の内容】
【特許請求の範囲】
【請求項１】
シリコン基板を加工する方法であって、
シリコン基板は、水平方向の搬送経路に沿って平坦に配置された状態で搬送され、表面を微細加工するエッチング溶液を上からスプレーする方法において、
エッチング溶液は、連続的に数回に亘りシリコン基板の上面に適用され、そこに残ってシリコン基板と反応し、
エッチング溶液は、数重量％の微量のアルコール、界面活性剤、グリコールを含むグループからの添加剤を含むことを特徴とする方法。
【請求項２】
エッチング溶液に添加剤を添加することを特徴とする請求項１に記載の方法。
【請求項３】
エッチング溶液には、連続的に添加剤が添加されることを特徴とする請求項１又は２に記載の方法。
【請求項４】
添加剤は、エッチングの進行と共に、又は処理方向において、エッチング溶液に加えられ、添加剤の比率が高くなることを特徴とする請求項１〜３の何れか一項に記載の方法。
【請求項５】
添加剤の比率が、最後にはより高くなることを特徴とする請求項４に記載の方法。
【請求項６】
エッチング溶液は、アルカリ性であることを特徴とする請求項１〜５の何れか一項に記載の方法。
【請求項７】
エッチング溶液は１〜１０重量％の微量の水酸化カリウム又は水酸化ナトリウムを含むことを特徴とする請求項６に記載の方法。
【請求項８】
エッチング溶液は、シリコン基板上に適用される前に加熱されることを特徴とする請求項１〜７の何れか一項に記載の方法。
【請求項９】
シリコン基板の下方を向く下面を、下からスプレーすることにより又は一つ以上のウェッティングローラによりエッチング溶液で濡らし、ウェッティングローラで、シリコン基板を搬送し、シリコン基板の下面でエッチング溶液を移すために、表面をエッチング溶液で濡らすことを特徴とする請求項１〜８の何れか一項に記載の方法。
【請求項１０】
請求項１〜９の何れか一項に記載の方法を実施するために、シリコン基板を加工する装置であって、
装置は、該装置内を通過するシリコン基板を平坦にして搬送し、平坦な状態でシリコン基板を加工するための水平方向の搬送経路を有し、
複数のウェッティング装置が、搬送経路の上に配置されると共に、搬送経路の幅方向に延びている装置において、
ウェッティング装置が下向きの開口を有してエッチング溶液を供給し、更に、エッチング溶液に添加剤を添加するために、添加剤加入口がウェッティング装置に設けられていることを特徴とする装置。
【請求項１１】
ウェッティング装置又はエッチング溶液のためのヒータが設けられている請求項１０に記載の装置。
【請求項１２】
前記ヒータが、ウェッティング装置又はエッチング溶液の容器に設けられている請求項１１に記載の装置。
【請求項１３】
ウェッティング装置は、直線的に形成され、シリコン基板の搬送経路の上で横に延びており、また、ウェッティング装置は複数備わることを特徴とする請求項１０又は１１に記載の装置。
【請求項１４】
前記ウェッティング装置は、搬送経路に沿って１０〜２０ｃｍの間隔で配置されていることを特徴とする請求項１３に記載の装置。
【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
β−カロテン、アスタキサンチン、およびそれらの組合せからなる群から選択される、０．０００１重量％から１０重量％の天然の藻類抗酸化剤を含む藻類油を含む誘電性流体。
【請求項２】
植物油、植物種子油、鉱油、シリコン（silicon）油、合成炭化水素、天然エステル、合成エステル、液体α−ポリオレフィンおよびそれらの組合せからなる群から選択されるブレンド成分を含む、請求項１に記載の誘電性流体。
【請求項３】
７０重量％から１００重量％の藻類油を含む、請求項１または２に記載の誘電性流体。
【請求項４】
０．１重量％から１．５重量％のアスタキサンチンを含む、請求項１から３のいずれかに記載の誘電性流体。
【請求項５】
電気部品、および
前記電気部品と作動可能に連通している請求項１に記載の誘電性流体
を含むデバイス。
【手続補正書】
【提出日】平成25年12月24日(2013.12.24)
【手続補正１】
【補正対象書類名】特許請求の範囲
【補正対象項目名】全文
【補正方法】変更
【補正の内容】
【特許請求の範囲】
【請求項１】
イオンビームの偏向を制御する方法であって、
複数の上部及び下部電極の対を含む電極の構成を設けるステップであって、各対の前記上部及び下部電極はイオンビームの両側に位置付けるステップと、
前記イオンビームの減速をグレーディングするステップと、
ビームの角度補正を得るために、レンズの長さに沿っての偏向因子関数を得るステップと、
前記イオンビームの中心光線軌跡（ＣＲＴ）を前記レンズの中心に位置づけるように、前記イオンビームの前記グレーディング、前記偏向因子及び集束を調整するために、前記複数の上部及び下部電極の対に対する電極の電圧を得るステップと、を有し、
前記グレーディング及び偏向因子を調整するステップは、前記イオンビームの少なくとも１つのパラメータを調整する少なくとも１つの仮想ノブを用いて達成される、イオンビームの偏向を制御する方法。
【請求項２】
前記少なくとも１つの仮想ノブは、前記ビームの集束及び残留エネルギー汚染を制御する、請求項１に記載の方法。
【請求項３】
前記少なくとも１つの仮想ノブは、前記イオンビームの上流の電子抑制を制御し、電子が前記イオンビームから奪われるのを抑える、請求項１に記載の方法。
【請求項４】
前記少なくとも１つの仮想ノブは、前記イオンビームの偏向を制御し、前記レンズの出口で前記ビームを中心に置く、請求項１に記載の方法。
【請求項５】
前記複数の電極の対の内側及び外側の最終接地電極の電流を測定するステップと、
前記内側及び外側の最終接地電極の前記電流が等しくなるまで、ビームの偏向を変化させることにより、前記ビームを中心に置くステップと、をさらに有する、請求項４に記載の方法。
【請求項６】
ビームを中心に置くことを決定するために、前記レンズの出口アパーチャー内に垂直に中心のあるコリメート光センサを供給するステップを、さらに有する、請求項４に記載の方法。
【請求項７】
前記少なくとも１つの仮想ノブは、前記イオンビームの最終偏向角を制御し、前記レンズの出口で前記イオンビームの位置を制約する、請求項１に記載の方法。
【請求項８】
前記イオンビームの減速をグレーディングする前記ステップは、
前記レンズの長さに沿っての前記ビームの中心光線軌跡（ＣＲＴ）のエネルギーを計算するステップを、さらに有する、請求項１に記載の方法。
【請求項９】
前記複数の上部及び下部電極の対の外側の電極の電圧が負のままであるように、電極の電圧を前記上部及び下部電極の対に与える、請求項１に記載の方法。
【請求項１０】
前記複数の電極の外側の抑制電極は上流のビームライン電位より下のままである、請求項１に記載の方法。
【請求項１１】
イオンビームの偏向を制御するシステムであって、
複数のセットの電極を含み、各セットの電極が、イオンビームがそこを通過することを可能にするギャップにより相隔たる、グレーデッド形レンズと、
前記複数のセットの電極に加えられる電位の異なる組合せを制御するためのコントローラと、
コンピュータプログラムコードがプロセッサにより実行されるときに、前記プロセッサが以下の方法を実行するように、前記コンピュータプログラムコードがエンコードされたコンピュータ可読記憶媒体と、を備え、
前記方法は、
前記イオンビームの減速をグレーディングするステップと、
ビームの角度補正を得るために、前記グレーデッド形レンズの長さに沿っての偏向因子関数を得るステップと、
前記イオンビームの中心光線軌跡（ＣＲＴ）を前記グレーデッド形レンズの中心に位置づけるように、前記イオンビームの前記グレーディング、前記偏向因子及び集束を調整するために、前記複数の上部及び下部電極の対に対する電極の電圧を得るステップと、を有し、
前記グレーディング及び偏向因子を調整するステップは、前記イオンビームの少なくとも１つのパラメータを調整する少なくとも１つの仮想ノブを用いて達成される、荷電粒子ビームの偏向を制御するシステム。
【請求項１２】
前記少なくとも１つの仮想ノブは、前記ビームの集束及び残留エネルギー汚染を制御する、請求項１１に記載のシステム。
【請求項１３】
前記少なくとも１つの仮想ノブは、前記イオンビームの上流の電子抑制を制御し、電子が前記イオンビームから奪われるのを抑える、請求項１１に記載のシステム。
【請求項１４】
前記少なくとも１つの仮想ノブは、前記ビームの偏向を制御し、前記レンズの出口で前記ビームを中心に置く、請求項１１に記載のシステム。
【請求項１５】
前記複数の電極の対の内側及び外側の最終接地電極の電流を測定するステップと、
前記内側及び外側の最終接地電極の前記電流が等しくなるまで、ビームの偏向を変化させることにより、前記イオンビームを中心に置くステップと、のための命令をさらに有する、請求項１４に記載のシステム。
【請求項１６】
ビームを中心に置くことを決定するために、前記レンズの出口アパーチャー内に垂直に中心のあるコリメート光センサを供給するステップのための命令を、さらに有する、請求項１４に記載のシステム。
【請求項１７】
前記少なくとも１つの仮想ノブは、前記イオンビームの最終偏向角を制御し、前記レンズの出口で前記イオンビームの位置を制約する、請求項１１に記載のシステム。
【請求項１８】
前記イオンビームの減速をグレーディングする前記ステップは、
前記レンズの長さに沿っての前記ビームの中心光線軌跡（ＣＲＴ）のエネルギーを計算するステップを、さらに有する、請求項１１に記載のシステム。
【請求項１９】
前記複数の上部及び下部電極の対の外側の電極の電圧が負のままであるように、前記電極の電圧を前記上部及び下部電極の対に与える、請求項１１に記載のシステム。